(57)【要約】【課題】電子機器装置を構成している複数の電子機器を分離して、単独で使用することができない。【解決手段】制御装置から送信された第１の画像情報に基づいて第１の画像を出力する第１の画像出力部としてのディスプレイ１０、前記制御装置から送信された第２の画像情報に基づいて第２の画像を出力する第２の画像出力部としてのプリンタ２０と、ディスプレイ１０とプリンタ２０とを分離可能に連結する連結部３０〜３５と、を備え、プリンタ２０は、前記第２の画像情報の信号を入力する印刷情報入力端子４６を備え、ディスプレイ１０は、前記第１の画像情報の信号を入力する表示情報入力端子４１と、前記第２の画像情報の信号を入力する印刷情報入力端子４２と、前記第２の画像情報の信号を印刷情報入力端子４６へ出力する印刷情報出力端子４４と、を備えた電子機器装置１を提供する。【選択図】図２
2010045477.tif 000002
【特許請求の範囲】
【請求項１】
制御装置から送信された第１の画像情報に基づいて第１の画像を出力する第１の画像出力部と、
前記制御装置から送信された第２の画像情報に基づいて第２の画像を出力する第２の画像出力部と、
前記第１の画像出力部と前記第２の画像出力部とを分離可能に連結する連結部と、を備え、
前記第２の画像出力部は、前記第２の画像情報の信号を入力する第２の第２情報入力端子を備え、前記第１の画像出力部は、前記第１の画像情報の信号を入力する第１情報入力端子と、前記第２の画像情報の信号を入力する第１の第２情報入力端子と、前記第２の画像情報の信号を前記第２の第２情報入力端子へ出力する第２情報出力端子と、を備えたことを特徴とする電子機器装置。
【請求項２】
請求項１に記載の電子機器装置であって、
前記第１の画像出力部は、前記第２の画像出力部へ電源を出力する電源出力端子を備えたことを特徴とする電子機器装置。
【請求項３】
請求項１または請求項２に記載の電子機器装置であって、
前記連結部は、前記第２の画像情報を信号により送信する信号ケーブルを備えたことを特徴とする電子機器装置。
【請求項４】
請求項１から請求項３のいずれか一項に記載の電子機器装置であって、
前記連結部は、電源ケーブルを備えたことを特徴とする電子機器装置。
【請求項５】
請求項１から請求項４のいずれか一項に記載の電子機器装置であって、
前記第１の画像出力部は、表示情報である前記第１の画像情報に基づいて、画像を表示する画像表示装置であり、前記第２の画像出力部は、印刷情報である前記第２の画像情報に基づいて、画像を記録媒体に形成する画像形成装置であることを特徴とする電子機器装置。    
【請求項６】
請求項５に記載の電子機器装置であって、
前記画像表示装置は、前記画像形成装置からの出力情報を表示する表示部を備え、
前記第２情報出力端子は、双方向に情報を伝達する機能を有し、前記画像形成装置からの前記出力情報を入力することを特徴とする電子機器装置。
【請求項７】
請求項６に記載の電子機器装置であって、
前記表示部は、前記出力情報を所定の方向に表示し、前記画像表示装置は、前記画像形成装置を制御する制御部を前記所定の方向の位置に備えたことを特徴とする電子機器装置。
【請求項８】
請求項１から請求項４のいずれか一項に記載の電子機器装置であって、
前記第１の画像出力部は、印刷情報である前記第１の画像情報に基づいて、画像を記録媒体に形成する画像形成装置であり、前記第２の画像出力部は、表示情報である前記第２の画像情報に基づいて、画像を表示する画像表示装置であることを特徴とする電子機器装置。
【請求項９】
画像を表示する画像表示装置であって、
画像形成装置によって記録媒体に画像を形成する印刷情報の信号を入力する印刷情報入力端子と、
前記印刷情報の信号を出力する印刷情報出力端子と、を備えたことを特徴とする画像表示装置。
【請求項１０】
記録媒体に画像を形成する画像形成装置であって、
画像表示装置によって画像を表示する表示情報の信号を入力する表示情報入力端子と、
前記表示情報の信号を出力する表示情報出力端子と、を備えたことを特徴とする画像形成装置。
【発明の詳細な説明】
【技術分野】
【０００１】
本発明は、電子機器装置、画像形成装置、及び画像表示装置に関する。
【背景技術】
【０００２】
コンピュータなどの制御装置から送られた画像データを出力する複数の電子機器を組み合わせて一つの電子機器装置として利用することが提案されている。例えば、特許文献１では、コンピュータから送信された画像データを、表示するための電子機器としてのフラットディスプレイと、用紙に印刷する電子機器としてのプリンタとを備えた電子機器装置を用いて、ユーザーの作業領域におけるスペース効率を向上させることが提案されている。また、例えば、特許文献２では、コンピュータから送信された画像データを、用紙に印刷するプリンタと、表示するディスプレイとを一体とした電子機器装置を用いて、画像データを表示しながらその画像データを印刷できるようにしている。
【０００３】
【特許文献１】特表２００６−５２６５１５号公報
【特許文献２】特開２００４−２３４１６８号公報
【発明の開示】
【発明が解決しようとする課題】
【０００４】
しかしながら、特許文献１や特許文献２では、電子機器装置を構成している複数の電子機器を分離して、単独で使用することができない。そのため、例えば、一つの電子機器が故障したりしたときに、故障した電子機器を取り外すと、他の電子機器を単独で使用することができず、使用者の利便性を損ねるおそれがある。
【課題を解決するための手段】
【０００５】
本発明は、上記課題を解決するためになされたものであり、以下の形態または適用例として実現することが可能である。
【０００６】
［適用例１］制御装置から送信された第１の画像情報に基づいて第１の画像を出力する第１の画像出力部と、前記制御装置から送信された第２の画像情報に基づいて第２の画像を出力する第２の画像出力部と、前記第１の画像出力部と前記第２の画像出力部とを分離可能に連結する連結部と、を備え、前記第２の画像出力部は、前記第２の画像情報の信号を入力する第２の第２情報入力端子を備え、前記第１の画像出力部は、前記第１の画像情報の信号を入力する第１情報入力端子と、前記第２の画像情報の信号を入力する第１の第２情報入力端子と、前記第２の画像情報の信号を前記第２の第２情報入力端子へ出力する第２情報出力端子と、を備えたことを特徴とする電子機器装置。
【０００７】
この構成によれば、連結部によって第１の画像出力部と第２の画像出力部とが連結されているとき、第１の画像出力部は、制御装置から送信された第１の画像情報を、第１の画像出力部に備えられた第１情報入力端子を介して取得できるので、第１の画像情報に基づいて画像を出力する。また、第２の画像出力部は、制御装置から送信された第２の画像情報を、第１の画像出力部に備えられた第１の第２情報入力端子と第２情報出力端子とを介して取得できるので、第２の画像情報に基づいて画像を出力する。
反対に、分離可能な連結部によって第１の画像出力部と第２の画像出力部とが分離されているとき、第１の画像出力部は、制御装置から送信された第１の画像情報を、第１の画像出力部に備えられた第１情報入力端子を介して取得できるので、第１の画像情報に基づいて画像を出力する。また、第２の画像出力部は、制御装置から送信された第２の画像情報を、第２の画像出力部に備えられた第２の第２情報入力端子を介して取得できるので、第２の画像情報に基づいて画像を出力する。
このように、連結部によって第１の画像出力部と第２の画像出力部とが連結されているときには、第１の画像出力部と第２の画像出力部のそれぞれから画像を出力し、連結部によって第１の画像出力部と第２の画像出力部とが分離されているときには、第１の画像出力部、第２の画像出力部は、それぞれ単独で画像を出力することができる。
【０００８】
［適用例２］前記第１の画像出力部は、前記第２の画像出力部へ電源を供給する電源出力端子を備えたことを特徴とする上記電子機器装置。
この構成によれば、第２の画像出力部は第１の画像出力部に備えられた電源出力端子から電力を得ることができる。これにより、電源ケーブルの配線長さが長くなることを抑制できるので、電子機器装置が占めるスペースを小さくでき、使用者の利便性を損ねるおそれを低減することができる。
【０００９】
［適用例３］前記連結部は、前記第２の画像情報を信号により送信する信号ケーブルを備えたことを特徴とする上記電子機器装置。
この構成によれば、第２の画像情報を信号により送信する信号ケーブルの配線長さが長くなることを抑制できるので、電子機器装置が占めるスペースを小さくでき、使用者の利便性を損ねるおそれを低減することができる。
【００１０】
［適用例４］前記連結部は、電源ケーブルを備えたことを特徴とする上記電子機器装置。
この構成によれば、電源ケーブルの配線長さが長くなることを抑制できるので、電子機器装置が占めるスペースを小さくでき、使用者の利便性を損ねるおそれを低減することができる。
【００１１】
［適用例５］前記第１の画像出力部は、表示情報である前記第１の画像情報に基づいて、画像を表示する画像表示装置であり、前記第２の画像出力部は、印刷情報である前記第２の画像情報に基づいて、画像を記録媒体に形成する画像形成装置であることを特徴とする上記電子機器装置。
【００１２】
この構成によれば、第１の画像出力部としての画像表示装置と、第２の画像出力部としての画像形成装置とから構成される電子機器装置として使用したり、画像表示装置または画像形成装置として単独で使用することができる。
【００１３】
［適用例６］前記画像表示装置は、前記画像形成装置からの出力情報を表示する表示部を備え、前記第２情報出力端子は、双方向に情報を伝達する機能を有し、前記画像形成装置からの前記出力情報を入力することを特徴とする上記電子機器装置。
【００１４】
この構成によれば、画像形成装置からの出力情報を表示部に表示することができる。
【００１５】
［適用例７］前記表示部は、前記出力情報を所定の方向に表示し、前記画像表示装置は、前記画像形成装置を制御する制御部を前記所定の方向の位置に備えたことを特徴とする上記電子機器装置。
【００１６】
この構成によれば、画像形成装置を制御する制御部の位置を、表示部が表示する方向に合わせて、使用者にとって容易に操作できる位置に設定できる。
【００１７】
［適用例８］前記第１の画像出力部は、印刷情報である前記第１の画像情報に基づいて、画像を記録媒体に形成する画像形成装置であり、前記第２の画像出力部は、表示情報である前記第２の画像情報に基づいて、画像を表示する画像表示装置であることを特徴とする上記電子機器装置。
【００１８】
この構成によれば、第１の画像出力部としての画像形成装置と、第２の画像出力部としての画像表示装置とから構成される電子機器装置として使用したり、画像形成装置または画像表示装置として単独で使用したりすることができる。
【００１９】
［適用例９］画像を表示する画像表示装置であって、画像形成装置によって記録媒体に画像を形成する印刷情報の信号を入力する印刷情報入力端子と、前記印刷情報の信号を出力する印刷情報出力端子と、を備えたことを特徴とする画像表示装置。
【００２０】
この構成によれば、画像形成装置と画像表示装置とを組み合わせた一つの電子機器装置として使用したり、画像表示装置として単独で使用したりすることができる。
【００２１】
［適用例１０］記録媒体に画像を形成する画像形成装置であって、画像表示装置によって画像を表示する表示情報の信号を入力する表示情報入力端子と、前記表示情報の信号を出力する表示情報出力端子と、を備えたことを特徴とする画像形成装置。
【００２２】
この構成によれば、画像形成装置と画像表示装置とを組み合わせた一つの電子機器装置として使用したり、画像形成装置として単独で使用したりすることができる。
【発明を実施するための最良の形態】
【００２３】
以下、実施例について図面に従って説明する。
（第１実施例）
図１は、本実施例における正面側から見た電子機器装置１の外観斜視図である。電子機器装置１は、第１の画像出力部としての画像表示装置であるディスプレイ１０と、第２の画像出力部としての画像形成装置であるプリンタ２０と、連結部３０〜３５とから構成される。
【００２４】
ディスプレイ１０には、電源ケーブル７を介して電力が供給される。
【００２５】
ディスプレイ１０の本体１１は、台座１３と支持部１４とによって支持される。ディスプレイ１０には液晶パネル１２が備えられる。ディスプレイ１０は、制御装置としてのコンピュータ２から表示信号ケーブル４を介して送信されるＲ（赤）、Ｇ（緑）、Ｂ（青）の各階調値などの表示情報である第１の画像情報に基づいて液晶パネル１２に画像を表示する。
【００２６】
プリンタ２０は、本体２１に備えられた用紙ガイド２４に沿って、用紙（不図示）を本体２１の図面右側から給紙する。プリンタ２０は、コンピュータ２から印刷信号ケーブル３を介して送信されるイエロー、マゼンタ、シアンの各階調値などの印刷情報である第２の画像情報に基づいて本体２１内部で用紙に印刷する。プリンタ２０は、用紙ガイド２３に沿うようにして開口部２２から図面左側に用紙を排紙する。
【００２７】
プリンタ２０は、インクを噴射するノズル列（不図示）が用紙の搬送方向に設けられたヘッド（不図示）を、用紙の搬送方向と垂直方向に移動させながら画像を形成するインクジェットプリンタであってもよい。あるいは、インクを噴射するノズル列（不図示）が用紙の搬送方向に垂直方向に、用紙幅の長さに設けられたヘッド（不図示）を備えたインクジェットによるラインプリンタであってもよい。あるいは、レーザー光線などの光を感光体（不図示）に当てて用紙に画像を形成するレーザープリンタなどであってもよい。
【００２８】
使用者は、キーボード５やマウス６を操作することよって、ディスプレイ１０に画像を表示させたり、プリンタ２０に画像を印刷させたりする。
【００２９】
図２は、背面側から見た電子機器装置１の外観斜視図である。図２のディスプレイ１０の支持部１４には、電源をディスプレイ１０に供給する電源入力端子４０、表示情報の信号を入力する第１情報入力端子としての表示情報入力端子４１、印刷情報の信号を入力する第１の第２情報入力端子としての印刷情報入力端子４２が備えられる。ディスプレイ１０の本体１１の背面側には、電源を供給する電源出力端子４３、印刷情報の信号を出力する第２情報出力端子としての印刷情報出力端子４４が備えられる。
【００３０】
図２のプリンタ２０の本体２１には、電源をプリンタ２０に供給する電源入力端子４５、印刷情報の信号をプリンタ２０に入力する第２の第２情報入力端子としての印刷情報入力端子４６が備えられる。
【００３１】
プリンタ２０は、連結部３０〜３５によって、台座１３と支持部１４に支持されたディスプレイ１０に固定される。図３は、連結部３５の外観斜視図である。本実施例のバンドの形状をした連結部３５の図面右側の先端には、先端が曲がったフック３５１を備える。連結部３５のフック３５１側には、図面左右方向に伸縮する弾性部材３５２が形成される。連結部３５の図面左側の先端部には、二つのネジ穴３５３が形成される。連結部３０〜３４は、連結部３５と同じ構成である。
【００３２】
連結部３５のネジ穴３５３を、ネジによって、プリンタ２０に固定し、フック３５１をディスプレイ１０の本体１１の外周付近にそれぞれ掛けると、弾性部材３５２の収縮力によって、ディスプレイ１０とプリンタ２０とは相互に引っ張る力が生じる。同様に、連結部３０〜３４のネジ穴をネジで固定し、それぞれのフックをディスプレイ１０の本体１１の外周付近に掛けて、プリンタ２０をディスプレイ１０に固定させる。
【００３３】
図４は、図１と図２の電子機器装置１からプリンタ２０を取り除いた後のディスプレイ１０を背面側から見た外観斜視図である。図１と図２のディスプレイ１０とプリンタ２０とは、連結部３０〜３５の弾性部材を伸ばしてディスプレイ１０の本体１１の外周に掛けているフックを外すことによって、ディスプレイ１０とプリンタ２０とを分離することができる。また、連結部３０〜３５とプリンタ２０とを固定するネジを取り除くことによって、プリンタ２０と連結部３０〜３５とを分離することができる。
【００３４】
図５は、第１実施例における電子機器装置１の電気的なブロック図である。ディスプレイ１０の電源出力端子４３とプリンタ２０の電源入力端子４５とは、電源ケーブルＣ１によって接続される。ディスプレイ１０の電源入力端子４０から供給された電力は、ディスプレイ１０の電源回路５０に電力が供給されるとともに、電源出力端子４３、電源ケーブルＣ１、電源入力端子４５を介して、プリンタ２０の電源回路６０に供給される。
【００３５】
使用者は、操作パネル５３によって、ディスプレイ１０の電源のＯＮまたはＯＦＦの操作を行ったり、液晶パネル１２に表示するときの輝度値などの設定操作などを行う。
【００３６】
コンピュータ２から表示信号ケーブル４を介して信号として送信される表示情報は、表示情報入力端子４１から入力され、入出力インターフェース５１を介して入出力コントローラ５２に入力される。入出力コントローラ５２は、ＲＡＭ５７に表示情報を格納する。
【００３７】
ＬＣＤコントローラ５４は、ＲＯＭ５６に格納された設定値や操作パネル５３から設定された輝度値などに基づいて、ＲＡＭ５７に格納された表示情報を液晶パネル１２に画像として表示させる。
【００３８】
ディスプレイ１０の印刷情報出力端子４４とプリンタ２０の印刷情報入力端子４６とは、印刷信号ケーブルＣ２によって接続される。コンピュータ２から印刷信号ケーブル３を介して信号として送信される印刷情報は、ディスプレイ１０の印刷情報入力端子４２から入力され、印刷情報出力端子４４、印刷信号ケーブルＣ２、印刷情報入力端子４６、入出力インターフェース６１を介して入出力コントローラ６２に入力される。
【００３９】
ＣＰＵ６８は、ＲＯＭ６７に格納されたプログラムをＲＡＭ６６に読み出して実行する。ＣＰＵ６８は、プリンタＡＳＩＣ６４を介して、プリンタエンジン６５を制御する。例えば、インクジェットプリンタのプリンタエンジンでは、インクを噴射するヘッドや、用紙を搬送するためのモータなどから構成される。
【００４０】
ＣＰＵ６８は、プリンタＡＳＩＣ６４によるプリンタエンジン６５の制御を行い、入出力コントローラ６２に入力された印刷情報に基づいて用紙に画像を印刷する。
【００４１】
操作パネル６３は、プリンタ２０の電源のＯＮまたはＯＦＦの操作を行ったり、用紙に画像を印刷している途中で、印刷を終了する操作などを行う。
【００４２】
プリンタ２０が故障したときには、連結部３０〜３５によって固定されているディスプレイ１０とプリンタ２０とを分離し、電源出力端子４３、印刷情報出力端子４４から電源ケーブルＣ１、印刷信号ケーブルＣ２をそれぞれ抜けば、ディスプレイ１０を単独で使用することができる。
【００４３】
ディスプレイ１０が故障した場合には、連結部３０〜３５によって固定されているディスプレイ１０とプリンタ２０とを分離する。そして、電源ケーブル７をプリンタ２０に備えられた電源入力端子４５に接続し、コンピュータ２に接続する印刷信号ケーブル３をプリンタ２０に備えられた印刷情報入力端子４６に接続すれば、プリンタ２０を単独で使用することができる。
【００４４】
以上、本実施例で説明した図１の電子機器装置１は、制御装置としてのコンピュータ２から送信された表示情報である第１の画像情報に基づいて画像を出力する第１の画像出力部としてのディスプレイ１０と、コンピュータ２から送信された印刷情報である第２の画像情報に基づいて画像を出力する第２の画像出力部としてのプリンタ２０と、ディスプレイ１０とプリンタ２０とを分離可能に連結する連結部３０〜３５と、を備え、図２のプリンタ２０は、印刷情報の信号を入力する第２の第２情報入力端子としての印刷情報入力端子４６を備え、ディスプレイ１０は、表示情報の信号を入力する第１情報入力端子としての表示情報入力端子４１と、印刷情報の信号を入力する第１の第２情報入力端子としての印刷情報入力端子４２と、印刷情報の信号を第２の第２情報入力端子としての印刷情報入力端子４６に出力する第２情報出力端子としての印刷情報出力端子４４とを備える（図５参照）。
【００４５】
この構成によれば、連結部３０〜３５によってディスプレイ１０とプリンタ２０とが連結されているとき、ディスプレイ１０は、コンピュータ２から送信された表示情報を、ディスプレイ１０に備えられた表示情報入力端子４１を介して取得できるので、表示情報に基づいて画像を液晶パネル１２に出力して表示する。プリンタ２０は、コンピュータ２から送信された印刷情報を、ディスプレイ１０に備えられた印刷情報入力端子４２、印刷情報出力端子４４、印刷情報入力端子４６を介して取得できるので、印刷情報に基づいて画像を記録媒体に出力して形成する。
【００４６】
反対に、分離可能な連結部によってディスプレイ１０とプリンタ２０とが分離されているとき、ディスプレイ１０は、コンピュータ２から送信された表示情報を、ディスプレイ１０に備えられた表示情報入力端子４１を介して取得できるので、表示情報に基づいて画像を液晶パネル１２に出力して表示する。
【００４７】
コンピュータ２に接続する印刷信号ケーブル３をプリンタ２０に備えられた印刷情報入力端子４６に接続すれば、プリンタ２０は、コンピュータ２から送信される印刷情報を、プリンタ２０に備えられた印刷情報入力端子４６を介して取得できるので、印刷情報に基づいて画像を記録媒体に出力して形成する。
【００４８】
このように、連結部３０〜３５によってディスプレイ１０とプリンタ２０とが連結されているときには、ディスプレイ１０とプリンタ２０のそれぞれから画像を出力し、連結部３０〜３５によってディスプレイ１０とプリンタ２０とが分離されているときには、ディスプレイ１０、プリンタ２０は、それぞれ単独で画像を出力することができる。
【００４９】
また、ディスプレイ１０は、プリンタ２０に電源を出力する電源出力端子４３を備える。
この構成によれば、プリンタ２０はディスプレイ１０に備えられた電源出力端子４３から電力を得ることができる。これにより、電源ケーブルの配線長さが長くなることを抑制できるので、電子機器装置１が占めるスペースを小さくでき、使用者の利便性を損ねるおそれを低減することができる。
【００５０】
（第２実施例）
第２実施例では、連結部にケーブルを備えた電子機器装置について説明する。図６は、第２実施例における第１の画像出力部としてのディスプレイ１０ａの背面から見た外観斜視図である。
【００５１】
第１実施例のディスプレイ１０の本体１１の背面には、電源出力端子４３、印刷情報出力端子４４を備えていたが、第２実施例のディスプレイ１０ａの本体１１の背面には、電源出力端子４３、印刷情報出力端子４４は備えていない。
【００５２】
ディスプレイ１０ａの本体１１の図面右側側面には、電源出力端子４７１、印刷情報出力端子４７２が備えられる。電源出力端子４７１、印刷情報出力端子４７２は、一つのコネクタ４７として構成される。
【００５３】
図７は、第２実施例における連結部３５ａの外観斜視図である。連結部３５ａは、第１実施例の図３の連結部３５で説明したように、フック３５１、弾性部材３５２、ネジ穴３５３を有する。更に、連結部３５ａは、連結部３５ａ内に電源ケーブル３５５、印刷信号ケーブル３５６が備えられる。連結部３５ａには、電源ケーブル３５５、印刷信号ケーブル３５６の両端にそれぞれ接続するコネクタ３５４、３５７が備えられる。
【００５４】
図８は、第２実施例における背面から見た電子機器装置１ａの外観斜視図である。電子機器装置１ａは、第１の画像出力部としてのディスプレイ１０ａと、第２の画像出力部としてのプリンタ２０ａと、連結部３０〜３４、３５ａとから構成される。
【００５５】
図８の連結部３５ａのＰ１に示す部位の図面裏側には、図７のコネクタ３５４が備えられる。ディスプレイ１０ａのＰ１に示す部位には、図６に示すように、コネクタ４７（電源出力端子４７１、印刷情報出力端子４７２）が備えられる。コネクタ３５４をコネクタ４７に挿入すると、電源ケーブル３５５、印刷信号ケーブル３５６は、電源出力端子４７１、印刷情報出力端子４７２と電気的にそれぞれ接続される。
【００５６】
図９は、第２実施例における、用紙ガイド２３，２４を取り除いたプリンタ２０ａの外観斜視図である。プリンタ２０ａの本体２１には、第１実施例で説明した電源入力端子４５、印刷情報入力端子４６が備えられる。更に、プリンタ２０ａの本体２１には、電源入力端子４８１、印刷情報入力端子４８２が備えられる。電源入力端子４８１、印刷情報入力端子４８２は一つのコネクタ４８として構成される。
【００５７】
プリンタ２０ａのコネクタ４８に連結部３５ａのコネクタ３５７を挿入すると、電源ケーブル３５５、印刷信号ケーブル３５６は、電源入力端子４８１、印刷情報入力端子４８２と電気的にそれぞれ接続される。
【００５８】
図１０は、第２実施例の電子機器装置１ａの電気的なブロック図である。図１０のディスプレイ１０ａのブロックは、第１実施例で説明した図５のディスプレイ１０のブロックに示した電源出力端子４３、印刷情報出力端子４４（図４参照）を電源出力端子４７１、印刷情報出力端子４７２（図６参照）にそれぞれ置き換えたものである。
【００５９】
図１０の電源ケーブル３５５、印刷信号ケーブル３５６は、連結部３５ａの内部に備えられていることを示す（図７参照）。
【００６０】
図１０のプリンタ２０ａのブロックは、第１実施例で説明した図５のプリンタ２０のブロックに、電源入力端子４８１、印刷情報入力端子４８２を追加したものである（図９参照）。
【００６１】
ディスプレイ１０ａの電源入力端子４０に供給された電力は、ディスプレイ１０ａの電源出力端子４７１、連結部３５ａ内に備えられた電源ケーブル３５５、プリンタ２０ａの電源入力端子４８１を介して、電源回路６０に供給される。
【００６２】
ディスプレイ１０ａの印刷情報入力端子４２に入力された信号は、ディスプレイ１０ａの印刷情報出力端子４７２、連結部３５ａ内に備えられた印刷信号ケーブル３５６、プリンタ２０ａの印刷情報入力端子４８２を介して、入出力インターフェース６１に入力される。
【００６３】
プリンタ２０ａが故障したときには、連結部３０〜３４，３５ａによって固定されているディスプレイ１０ａとプリンタ２０ａとを分離すれば、ディスプレイ１０ａを単独で使用することができる。
【００６４】
ディスプレイ１０ａが故障した場合には、連結部３０〜３４，３５ａによって固定されているディスプレイ１０ａとプリンタ２０ａとを分離する。そして、電源ケーブル７をプリンタ２０ａに備えられた電源入力端子４５に接続し、コンピュータ２に接続する印刷信号ケーブル３をプリンタ２０ａに備えられた印刷情報入力端子４６に接続すれば、プリンタ２０ａを単独で使用することができる。
【００６５】
プリンタ２０ａは、印刷情報入力端子４６に印刷信号ケーブル３を接続して、あるいは、コネクタ４８に連結部３５ａを接続して信号を入力することができる。また、印刷情報入力端子４６に印刷信号ケーブル３が接続された場合であっても、コネクタ４８に連結部３５ａが接続されている場合には、コネクタ４８からの信号を優先的に入力してもよい。
【００６６】
以上、本実施例の電子機器装置１ａの連結部３５ａは、第２の画像情報を信号により送信する信号ケーブルとしての印刷信号ケーブル３５６を備える。
この構成によれば、電子機器装置１ａの占めるスペースを小さくさせ、使用者の利便性を損ねるおそれを低減することができる。
【００６７】
また、連結部３５ａは、電源ケーブル３５５を備える。
この構成によれば、更に、電子機器装置１ａの占めるスペースを小さくさせ、使用者の利便性を損ねるおそれを低減することができる。
【００６８】
本実施例では、電源ケーブル３５５、印刷信号ケーブル３５６を連結部３５ａの内部に設けたが、連結部３５ａの外側に沿うようにして貼り付けて備えてもよい。
【００６９】
（第３実施例）
第３実施例では、ディスプレイにプリンタからの出力情報を表示する表示部と、プリンタを制御する制御部を備えた電子機器装置について説明する。図１１は、第３実施例におけるディスプレイ１０ｂの正面図である。ディスプレイ１０ｂは、プリンタ２０ｂ（図１２参照）からの出力情報を表示する表示部としてのインク交換表示部７０と、プリンタ２０ｂを制御する制御部としてのジョブキャンセルボタン７１を本体１１の正面側に備える。インク交換表示部７０は、例えば発光ダイオードなどで構成される。
【００７０】
図１２は、第３実施例における電子機器装置１ｂの電気的なブロック図である。ディスプレイ１０ｂのＵＳＢ端子４７２ｂは、双方向に情報を伝達する機能を有し、ディスプレイ１０ｂからプリンタ２０ｂへ出力する信号の出力端子として、また、プリンタ２０ｂからディスプレイ１０ｂへ入力する信号の入力端子としても機能する。
【００７１】
プリンタ２０ｂのＵＳＢ端子４８２ｂは、双方向に情報を伝達する機能を有し、ディスプレイ１０ｂからプリンタ２０ｂへ入力する信号の入力端子として、また、プリンタ２０ｂからディスプレイ１０ｂへ出力する信号の出力端子としても機能する。
【００７２】
印刷信号ケーブル３５６ｂは、双方向の信号の伝達ができる。
【００７３】
プリンタ２０ｂのＣＰＵ６８は、プリンタ２０ｂに装着していたインクカートリッジ（不図示）内のインク残量が低下すると、インク交換が必要であるという情報を、入出力コントローラ６２、入出力インターフェース６１、ＵＳＢ端子４８２ｂ、印刷信号ケーブル３５６ｂ、ＵＳＢ端子４７２ｂを介して、プリンタ制御コントローラ７２に出力する。プリンタ制御コントローラ７２は、インク交換表示部７０を点滅させる。数字や文字を表示するインク交換表示部を備え、エラーコードや文字を表示するようにしてもよい。
【００７４】
使用者によってジョブキャンセルボタン７１が押されると、プリンタ制御コントローラ７２は、印刷途中で用紙を排紙する情報を信号としてＵＳＢ端子４７２ｂ、印刷信号ケーブル３５６ｂ、ＵＳＢ端子４８２ｂ、入出力インターフェース６１を経由して入出力コントローラ６２に出力する。ＣＰＵ６８は、印刷途中で用紙を排紙する情報を受信すると、印刷途中で用紙を排紙させる。
【００７５】
以上、本実施例の電子機器装置１ｂのディスプレイ１０ｂは、プリンタ２０ｂからの出力情報を表示する表示部としてのインク交換表示部７０を備え、印刷情報を出力する出力端子としてのＵＳＢ端子４７２ｂは、双方向に情報を伝達する機能を有し、出力情報を信号として入力する。
【００７６】
この構成によれば、プリンタ２０ｂからの出力情報を出力するインク交換表示部７０の位置を、使用者にとって容易に見える位置に設定できる。
【００７７】
また、ディスプレイ１０ｂは、プリンタ２０ｂを制御する制御部としてのジョブキャンセルボタン７１を所定の位置に備える。本実施例では、図１１のディスプレイ１０ｂの本体１１の正面側に備える。  
【００７８】
この構成によれば、プリンタ２０ｂを制御するジョブキャンセルボタン７１の位置を、使用者にとって容易に操作できる位置に設定できる。
【００７９】
本実施例では、表示部としてインク交換表示部７０を備えたが、例えば、用紙が給紙されていないことを示す表示部を備えてもよい。また、本実施例では、制御部として、ジョブキャンセルボタン７１を備えたが、例えば、用紙を給紙するための給紙ボタンを備えてもよい。
【００８０】
本実施例では、ディスプレイ１０ｂに、プリンタ２０ｂを制御する制御ボタンを備えたが、表示部がプリンタ２０ｂからの出力情報を表示する方向と同じ方向に、制御ボタンを備えても良い。
【００８１】
（第４実施例）
第１実施例〜第３実施例では、第１の画像出力部としての画像表示装置、第２の画像出力部としての画像形成装置について説明したが、第４実施例では、第１の画像出力部としての画像形成装置、第２の画像出力部としての画像表示装置について説明する。
【００８２】
図１３は、第４実施例における電子機器装置１ｃの背面からの外観斜視図である。図１３の第１の画像出力部としての画像形成装置であるプリンタ２０ｃの図面右側側面には、第２実施例の図８のプリンタ２０ａの電源入力端子４５、印刷情報入力端子４６と同じ機能を有する電源入力端子１００、印刷情報入力端子１０２がそれぞれ備えられる。本実施例では、さらに、プリンタ２０ｃの図面右側側面には、表示情報入力端子１０１が備えられる。
【００８３】
図１３の第２の画像出力部としての画像表示装置であるディスプレイ１０ｃの支持部１４には、第２実施例の図８のディスプレイ１０ａに備えてあった印刷情報入力端子４２は備えていない。
【００８４】
連結部３５ｃの内部には、電源ケーブル３５５、表示信号ケーブル３５８が備えられる。連結部３５ｃは、第２実施例の連結部３５ｂで説明したように、バンド形状の連結部３５ｃの両端部にはコネクタが備えられ、プリンタ２０ｃとディスプレイ１０ｃとを電気的に接続することができる。
【００８５】
第４実施例の連結部３０〜３４，３５ｃは、第２実施例で説明したように、フック、弾性部材、ネジ穴がそれぞれ設けられ、プリンタ２０ｃとディスプレイ１０ｃを連結したり、分離させたりすることができる。
【００８６】
図１４は、第４実施例における電子機器装置１ｃの電気的なブロック図である。プリンタ２０ｃを構成する入出力インターフェース６１、入出力コントローラ６２、操作パネル６３、プリンタＡＳＩＣ６４、プリンタエンジン６５、ＣＰＵ６８、ＲＯＭ６７、ＲＡＭ６６の構成は、第１実施例で図５を用いて説明した構成と同じである。
【００８７】
ディスプレイ１０ｃを構成する入出力インターフェース５１、入出力コントローラ５２、操作パネル５３、ＬＣＤコントローラ５４、液晶パネル１２、ＲＡＭ５７、ＲＯＭ５６の構成は、第１実施例で図５を用いて説明した構成と同じである。
【００８８】
プリンタ２０ｃの電源出力端子１０５とディスプレイ１０ｃの電源入力端子１１０とは、電源ケーブル３５５によって接続される。プリンタ２０ｃの電源入力端子１００から供給された電力は、プリンタ２０ｃの電源回路１０３に電力が供給されるとともに、電源出力端子１０５、電源ケーブル３５５、電源入力端子１１０を介して、ディスプレイ１０ｃの電源回路１１３に供給される。
【００８９】
コンピュータ２から印刷信号ケーブル３を介して信号として送信される印刷情報は、印刷情報入力端子１０２から入力され、入出力インターフェース６１を介して入出力コントローラ６２に入力される。
【００９０】
プリンタ２０ｃの表示情報出力端子１０４とディスプレイ１０ｃの表示情報入力端子１１１とは、表示信号ケーブル３５８によって接続される。コンピュータ２から表示信号ケーブル４を介して信号として送信される表示情報は、プリンタ２０ｃの表示情報入力端子１０１から入力され、表示情報出力端子１０４、表示信号ケーブル３５８、表示情報入力端子１１１、入出力インターフェース５１を介して入出力コントローラ５２に入力される。
【００９１】
ディスプレイ１０ｃが故障したときには、使用者は、連結部３０〜３４，３５ｃによって固定されているディスプレイ１０ｃとプリンタ２０ｃとを分離する。そして、電源ケーブル７をプリンタ２０ｃに備えられた電源入力端子１００に接続し、コンピュータ２に接続する印刷信号ケーブル３をプリンタ２０ｃの印刷情報入力端子１０２に接続すれば、プリンタ２０ｃを単独で使用することができる。
【００９２】
プリンタ２０ｃが故障したときには、使用者は、連結部３０〜３４，３５ｃによって固定されているディスプレイ１０ｃとプリンタ２０ｃとを分離する。そして、電源ケーブル７をディスプレイ１０ｃに備えられた電源入力端子１０９に接続し、コンピュータ２に接続する表示信号ケーブル４をディスプレイ１０ｃに備えられた表示情報入力端子１１２に接続すれば、ディスプレイ１０ｃを単独で使用することができる。
【００９３】
ディスプレイ１０ｃは、表示情報入力端子１１２に表示信号ケーブル４を接続して、あるいは、表示情報入力端子１１１に表示信号ケーブル３５８を接続して信号を入力することができる。また、表示情報入力端子１１２に表示信号ケーブル４が接続された場合であっても、表示情報入力端子１１１に表示信号ケーブル３５８が接続されている場合には、表示情報入力端子１１１からの信号を優先的に入力してもよい。
【００９４】
本実施例の電子機器装置１ｃにおいて、第１の画像出力部は、印刷情報である第１の画像情報に基づいて、画像を記録媒体に形成する画像形成装置としてのプリンタ２０ｃであり、第２の画像出力部は、表示情報である第２の画像情報に基づいて、画像を表示する画像表示装置としてのディスプレイ１０ｃである。
【００９５】
以上、図１３、図１４を参照して本実施例で説明した電子機器装置１ｃは、制御装置としてのコンピュータ２から送信された印刷情報に基づいて第１の画像を出力するプリンタ２０ｃと、コンピュータ２から送信された表示情報に基づいて第２の画像を出力するディスプレイ１０ｃと、プリンタ２０ｃとディスプレイ１０ｃとを分離可能に連結する連結部３０〜３４，３５ｃと、を備える。また、ディスプレイ１０ｃは、表示情報の信号を入力する第２の第２情報入力端子としての表示情報入力端子１１１を備え、プリンタ２０ｃは、印刷情報の信号を入力する第１情報入力端子としての印刷情報入力端子１０２と、表示情報の信号を入力する第１の第２情報入力端子としての表示情報入力端子１０１と、表示情報の信号を表示情報入力端子１１１へ出力する第２情報出力端子としての表示情報出力端子１０４と、を備える。
【００９６】
この構成によれば、第１の画像出力部としての画像形成装置であるプリンタ２０ｃと、第２の画像出力部としての画像表示装置であるディスプレイ１０ｃとから構成される電子機器装置１ｃとして使用したり、プリンタ２０ｃまたはディスプレイ１０ｃとして単独で使用したりすることができる。
【図面の簡単な説明】
【００９７】
【図１】第１実施例における正面側から見た電子機器装置の外観斜視図。
【図２】背面側から見た電子機器装置の外観斜視図。
【図３】連結部の外観斜視図。
【図４】ディスプレイを背面側から見た外観斜視図。
【図５】第１実施例における電子機器装置の電気的なブロック図。
【図６】第２実施例における第１の画像出力部としてのディスプレイの背面から見た外観斜視図。
【図７】第２実施例における連結部の外観斜視図。
【図８】第２実施例における背面から見た電子機器装置の外観斜視図。
【図９】第２実施例における、プリンタの外観斜視図。
【図１０】第２実施例の電子機器装置の電気的なブロック図。
【図１１】第３実施例におけるディスプレイの正面図。
【図１２】第３実施例における電子機器装置の電気的なブロック図。
【図１３】第４実施例における電子機器装置の背面からの外観斜視図。
【図１４】第４実施例における電子機器装置の電気的なブロック図。
【符号の説明】
【００９８】
１，１ａ，１ｂ，１ｃ…電子機器装置、２…コンピュータ、１０，１０ａ，１０ｂ，１０ｃ…ディスプレイ、２０，２０ａ，２０ｂ，２０ｃ…プリンタ、３０〜３５，３５ａ，３５ｂ，３５ｃ…連結部、４２，４６，１０２，４８２…印刷情報入力端子、４４，４７２…印刷情報出力端子、１０１，１１１…表示情報入力端子、１０４…表示情報出力端子、４７２ｂ，４８２ｂ…ＵＳＢ端子、４３，１０５，４７１…電源出力端子、７０…インク交換表示部、７１…ジョブキャンセルボタン、３５５…電源ケーブル、３５６，３５６ｂ…印刷信号ケーブル、３５８…表示信号ケーブル。
【図１】
2010045477.tif 000003
【図２】
2010045477.tif 000004
【図３】
2010045477.tif 000005
【図４】
2010045477.tif 000006
【図５】
2010045477.tif 000007
【図６】
2010045477.tif 000008
【図７】
2010045477.tif 000009
【図８】
2010045477.tif 000010
【図９】
2010045477.tif 000011
【図１０】
2010045477.tif 000012
【図１１】
2010045477.tif 000013
【図１２】
2010045477.tif 000014
【図１３】
2010045477.tif 000015
【図１４】
2010045477.tif 000016